(57)【要約】【課題】  問題と解答とが同一面に表記されているものでありながら常時は解答を見ることができないといった機能性を担保することができる暗記用カードユニットを提供する。【解決手段】  同一面に質問欄２ａと解答欄２ｂとが位置しており、しかもカードホルダー３により少なくとも解答欄２ａが利用者側から見えないような状態でカード２が複数枚収納されている。【選択図】図１
2005035179.tif 000002
【特許請求の範囲】
【請求項１】
同一面に質問欄と解答欄とが区画されたカードと、少なくとも前記解答欄が利用者側から見えないように前記カードを複数枚収納するカードホルダーとを備えていることを特徴とする暗記用カードユニット。
【請求項２】
前記カードホルダーは、前記複数のカードの隣接する２辺を支持する２壁面を備えると共に、前記複数の隣接する他の２辺を開放していることを特徴とする請求項１に記載の暗記用カードユニット。
【請求項３】
前記カードホルダーは、前記解答欄の大きさに対応して利用者側から前記解答欄が確実に見えないように遮蔽面積を変更するシャッターを備えていることを特徴とする請求項１又は請求項２に記載の暗記用カードユニット。
【請求項４】
前記カードホルダーは、前記複数のカードを回転可能に一体に保持する保持軸を備え、該保持軸を中心として利用者側に位置する前記カードを回動させることにより前記解答欄が露出すると共に次の前記カードの前記質問欄が露出することを特徴とする請求項１乃至請求項３の何れか一つに記載の暗記用カードユニット。
【発明の詳細な説明】
【技術分野】
【０００１】
本発明は、暗記用カードユニットに関するものである。
【背景技術】
【０００２】
【特許文献１】特開２００２−２２１８９０号公報
【特許文献２】特開平８−１６０８４号公報  従来から、英単語や歴史年表、化学式、数学公式などの暗記に、所謂単語帳を使用している人が多いことは周知である。
【０００３】
このような単語帳には、短冊状の複数のカードが束ねられており、その各カードの表面側を質問欄、裏面側を解答欄として使用している（例えば、特許文献１，２参照）。
【０００４】
また、このような暗記手段として、近年のパーソナルコンピュータの普及に伴い、このコンピュータを利用した暗記用ソフト等も見受けられるが、このような暗記用ソフトは、大容量のものには適しているが、携帯性に劣るといった問題点があることから、依然として単語帳等を利用する受験生も多く見受けられる。
【発明の開示】
【発明が解決しようとする課題】
【０００５】
しかしながら、このような単語帳は、１枚の表裏を使用しているため、問題と解答を照らし合わせるための捲り作業時に同時に２枚のカードを捲ってしまい、例えば、互いに異なるカードの表裏に質問と解答とを記入して作成してしまったり、質問とは異なる解答を見て間違って覚えてしまうといった不具合が生じていた。また、前後に位置するカードの裏面と表面とが対向していることから、繰り返しの使用により、両者の鉛筆部分が擦れあって見難くなってしまうという問題も生じていた。
【０００６】
本発明は、上記問題を解決するため、問題と解答とが同一面に表記されているものでありながら常時は解答を見ることができないといった機能性を担保することができる暗記用カードユニットを提供することを目的とする。
【課題を解決するための手段】
【０００７】
その目的を達成するため、請求項１に記載の暗記用カードユニットは、同一面に質問欄と解答欄とが区画されたカードと、少なくとも前記解答欄が利用者側から見えないように前記カードを複数枚収納するカードホルダーとを備えていることを要旨とする。
【０００８】
この際、質問欄と解答欄との区画は、例えば、境界線を付しているとか各欄で色を異ならせるといった区画の他、カードホルダー側で隠している範囲を解答欄とするといった擬似的な区画を含むものとする。
【０００９】
また、請求項２に記載の暗記用カードユニットは、前記カードホルダーは、前記複数のカードの隣接する２辺を支持する２壁面を備えると共に、前記複数の隣接する他の２辺を開放していることを要旨とする。
【００１０】
請求項３に記載の暗記用カードユニットは、前記カードホルダーは、前記解答欄の大きさに対応して利用者側から前記解答欄が確実に見えないように遮蔽面積を変更するシャッターを備えていることを要旨とする。
【００１１】
請求項４に記載の暗記用カードユニットは、前記カードホルダーは、前記複数のカードを回転可能に一体に保持する保持軸を備え、該保持軸を中心として利用者側に位置する前記カードを回動させることにより前記解答欄が露出すると共に次の前記カードの前記質問欄が露出することを要旨とする。
【発明の効果】
【００１２】
本発明の暗記用カードユニットは、同一面に質問欄と解答欄とが位置しており、しかもカードホルダーにより少なくとも解答欄が利用者側から見えないような状態でカードが複数枚収納されていることにより、問題と解答とが同一面に表記されているものでありながら常時は解答を見ることができないといった機能性を担保することができる。
【００１３】
また、請求項２に記載の暗記用カードユニットは、複数のカードの隣接する２辺を２壁面で支持すると共に他の隣接する２辺を開放した状態で複数のカードを収納しているため、複数のカードの出し入れを容易に行うことができる。
【００１４】
さらに、請求項３に記載の暗記用カードユニットは、利用者側から解答欄が確実に見えないように解答欄の大きさに対応して遮蔽面積を変更するシャッターを備えていることにより、例えば、英単語用と英熟語用といったように、質問並びに解答の使用範囲の変化に応じた対応が可能となり、使用勝手を向上させることができる。
【００１５】
また、請求項４に記載の暗記用カードユニットは、複数のカードを保持軸で回転可能に一体に保持することにより、保持軸を中心として利用者側に位置するカードを回動させて同一カードの解答欄を確認した後にそのまま次のカードの質問欄を見るといったことが可能となる。
【発明を実施するための最良の形態】
【００１６】
次に、本発明の暗記用カードユニットを図面に基づいて説明する。
【実施例１】
【００１７】
図１及び図２は本発明の暗記用カードユニットの実施例１を示し、図１（Ａ）はカード収納状態の暗記用カードユニットの斜視図、図１（Ｂ）はカードの正面図、図２はカードとカードホルダーとを分離した状態の斜視図である。
【００１８】
図において、暗記用カードユニット１は、複数のカード２と、このカード２を収納するカードホルダー３とを備えている。
【００１９】
カード２は、例えば、名刺サイズ等の適宜の大きさのものが使用されており、白紙状態での販売の他、教科別や学年別といった教育基準等を考慮して印刷処理が施された状態での販売といったように、その販売形態はとらわれない。また、カード２は、図１（Ｂ）に示すように、同一面に質問欄２ａと解答欄２ｂとに区画されている。尚、この区画は、境界線を付しているとか各欄で色を異ならせるといった実質的な区画の他、後述するカードホルダー３側で隠している範囲を解答欄２ｂとするといった擬似的な区画を含む。
【００２０】
カードホルダー３は、横部３ａと縦部３ｂとで正面視略Ｌ字形状を呈している。また、カードホルダー３は、横部３ａと縦部３ｂの内壁面にカード２の隣接する２辺が突き当て状態で当接すると共にその表裏を支えるように内方を開放した断面凹字形状に形成されている。さらに、横部３ａの端部と縦部３ｂもそれぞれ開放しており、これによってカード２が図示のものよりも大きい場合であっても収納が可能となっているうえ、カード２の出し入れが上下左右の２方向に限定されること無く斜め方向からも容易に行うことができるようになっている。
【００２１】
尚、横部３ａと縦部３ｂの正面側（利用者基準）の壁面は、カード２の一部を隠す（図１（Ｂ）の斜線部分）機能を兼ねており、この壁面によって隠された部分が実質的にカード２の解答欄２ｂとなる。
【００２２】
利用者は、カードホルダー３に隠されていない部分、即ち、問題欄２ａに記載された問題を確認しつつ、そのカード２をカードホルダー３から引き出すことにより解答欄２ｂに記載された解答を確認した後、そのカード２を最後部側からカードホルダー３に戻し、順次同様の作業によりカードホルダー３に収納したカード２に記載された事項の暗記作業等を行うことができる。尚、実際の利用方法は上記に限定されるものではないが、利用目的を含め、その利用方法は利用者の自由である。
【００２３】
なお、カードホルダー３全体を収納するような蓋を対としてもよい。使用しないときは蓋をしてカード２が外部にこぼれることのないようにしておけばよい。
【実施例２】
【００２４】
図３は本発明の暗記用カードユニットの実施例２を示し、図３（Ａ）はシャッター不使用状態の暗記用カードユニットの斜視図、図３（Ｂ）はシャッター使用状態の暗記用カードユニットの斜視図である。
【００２５】
図において、暗記用カードユニット１１は、複数のカード２と、このカード２を収納するカードホルダー１３とを備えている。
【００２６】
カードホルダー１３は、横部１３ａと縦部１３ｂとで正面視略Ｌ字形状を呈している。また、カードホルダー１３は、横部１３ａと縦部１３ｂの内壁面にカード２の隣接する２辺が突き当て状態で当接すると共にその表裏を支えるように内方を開放した断面凹字形状に形成されている。さらに、横部１３ａの端部と縦部１３ｂもそれぞれ開放しており、これによってカード２が図示のものよりも大きい場合であっても収納が可能となっているうえ、カード２の出し入れが上下左右の２方向に限定されること無く斜め方向からも容易に行うことができるようになっている。また、横部１３ａには、上下動可能なシャッター１４が設けられている。
【００２７】
これにより、例えば、英単語の場合には、図３（Ａ）に示すように、シャッタ１４が横部１３ａに格納された不使用状態とし、英熟語などのように使用例を多く記載していて解答欄２ｂを広くしている場合には、図３（Ｂ）に示すように、シャッタ１４を横部１３ａから突出させた使用状態とするなどの応用が可能となっている。
【実施例３】
【００２８】
図４及び図５は本発明の暗記用カードユニットの実施例３を示し、図４はカード収納状態の暗記用カードユニットの斜視図、図５はカード使用状態の暗記用カードユニットの斜視図である。
【００２９】
図において、暗記用カードユニット２１は、複数のカード２と、このカード２を収納するカードホルダー２３とを備えている。
【００３０】
カードホルダー２３は、横部２３ａと縦部２３ｂとで正面視略Ｌ字形状を呈している。また、カードホルダー２３は、縦部２３ｂの上端寄りに保持軸２４が設けられており、これによりカード２を回動可能に保持している。
【００３１】
これにより、カード２がばらばらに分離することなく、一体とすることができるうえ、片手での暗記操作を容易に行うことが可能となる。保持軸２４をカードホルダー２３から着脱自在に取り付けておけば、カード２を交換することが可能となる。
【図面の簡単な説明】
【００３２】
【図１】本発明の暗記用カードユニットの実施例１を示し、（Ａ）はカード収納状態の暗記用カードユニットの斜視図、（Ｂ）はカードの正面図である。
【図２】同じく、カードとカードホルダーとを分離した状態の斜視図である。
【図３】本発明の暗記用カードユニットの実施例２を示し、（Ａ）はシャッター不使用状態の暗記用カードユニットの斜視図、（Ｂ）はシャッター使用状態の暗記用カードユニットの斜視図である。
【図４】本発明の暗記用カードユニットの実施例３を示し、カード収納状態の暗記用カードユニットの斜視図である。
【図５】同じく、カード使用状態の暗記用カードユニットの斜視図である。
【符号の説明】
【００３３】
１…暗記用カードユニット
２…カード
２ａ…質問欄
２ｂ…解答欄
３…カードホルダー
【図１】
2005035179.tif 000003
【図２】
2005035179.tif 000004
【図３】
2005035179.tif 000005
【図４】
2005035179.tif 000006
【図５】
2005035179.tif 000007